(57)【特許請求の範囲】
【請求項１】
電波を受信するアンテナに接続するアンテナユニットと、前記アンテナに受信された受信信号を復調する受信機本体と、前記アンテナユニットと前記受信機本体とを接続し、前記アンテナに受信された受信信号を該アンテナユニット側から該受信機本体側へ伝送するケーブルと、を備える受信装置であって、
前記アンテナユニットは、電源供給がなされかつ前記ケーブルを介して前記受信機本体が接続されている際に電源スイッチがオンする回路構成を有し、
前記アンテナユニットに電源供給がなされかつ該アンテナユニットと前記受信機本体との間に前記ケーブルが接続されている際に、前記アンテナユニット側から前記ケーブルを介して前記受信機本体側に印加するバイアス電圧を発生するバイアス電圧発生手段を備え、
前記バイアス電圧発生手段は、
前記アンテナユニット側に設けられた、該アンテナユニットに電源供給がなされている際にエミッタ−コレクタ間に所定電圧が印加されるバイポーラトランジスタと、
前記受信機本体側に設けられた、前記アンテナユニットに電源供給がなされかつ前記アンテナユニットと前記受信機本体との間に前記ケーブルが接続されている際に、前記アンテナユニットから前記ケーブルを介して所定電流が流れることにより、前記バイポーラトランジスタのベース−エミッタ間に飽和電圧以上の電圧を印加させて前記バイポーラトランジスタを動作させる抵抗と、
を有することを特徴とする受信装置。
【請求項２】
前記受信機本体側に設けられ、前記アンテナユニット側から前記ケーブルを介してバイアス電圧が印加されるか否かに基づいて、前記アンテナユニットに電源供給がなされかつ前記アンテナユニットと前記受信機本体との間に前記ケーブルが接続されているか否かを判定する判定手段を備えることを特徴とする請求項１記載の受信装置。
【請求項３】
前記判定手段は、前記バイアス電圧発生手段によるバイアス電圧が現れる端子の電圧値に基づいて、前記アンテナユニットに電源供給がなされかつ前記アンテナユニットと前記受信機本体との間に前記ケーブルが接続されているか否かを判定することを特徴とする請求項２記載の受信装置。
【発明の詳細な説明】
【技術分野】
【０００１】
本発明は、受信装置に係り、特に、電波を受信するアンテナに接続するアンテナユニットと、そのアンテナに受信された受信信号を復調する受信機本体と、そのアンテナユニットと受信機本体とを接続するケーブルと、を備える受信装置に関する。
【背景技術】
【０００２】
従来、電波を受信するアンテナに接続するアンテナユニットと、そのアンテナに受信された受信信号を復調する受信機本体と、そのアンテナユニットと受信機本体とを接続するケーブルと、を備える受信装置が知られている（例えば、特許文献１〜３参照）。この受信装置においては、アンテナに受信された受信信号がアンテナユニットからケーブルを介して受信機本体に伝送されて、その受信機本体で復調される。
【特許文献１】特開平８−６５１９４号公報
【特許文献２】特開２００１−３６４２６号公報
【特許文献３】特開２００５−３４８３１６号公報
【発明の開示】
【発明が解決しようとする課題】
【０００３】
ところで、アンテナに受信された受信信号をアンテナユニットから受信機本体へ確実に伝送しその受信機本体で適切に復調するためには、アンテナユニット側に適切に電源供給がなされ、かつ、アンテナユニットと受信機本体との間にケーブルが確実に接続されていることが必要である。アンテナユニット側に電源供給がなされておらず、或いは、アンテナユニットと受信機本体との間でケーブル接続がなされていない場合は、アンテナユニットを作動可能にするのは適切でなく、また、受信機本体側で復調処理を行うのは適切でない。
【０００４】
本発明は、上述の点に鑑みてなされたものであり、アンテナユニット側に電源供給がなされかつアンテナユニットと受信機本体との間にケーブルが接続されることで作動可能となる受信装置を提供することを目的とする。
【課題を解決するための手段】
【０００５】
上記の目的は、電波を受信するアンテナに接続するアンテナユニットと、前記アンテナに受信された受信信号を復調する受信機本体と、前記アンテナユニットと前記受信機本体とを接続し、前記アンテナに受信された受信信号を該アンテナユニット側から該受信機本体側へ伝送するケーブルと、を備える受信装置であって、前記アンテナユニットは、電源供給がなされかつ前記ケーブルを介して前記受信機本体が接続されている際に電源スイッチがオンする回路構成を有し、前記アンテナユニットに電源供給がなされかつ該アンテナユニットと前記受信機本体との間に前記ケーブルが接続されている際に、前記アンテナユニット側から前記ケーブルを介して前記受信機本体側に印加するバイアス電圧を発生するバイアス電圧発生手段を備え、前記バイアス電圧発生手段は、前記アンテナユニット側に設けられた、該アンテナユニットに電源供給がなされている際にエミッタ−コレクタ間に所定電圧が印加されるバイポーラトランジスタと、前記受信機本体側に設けられた、前記アンテナユニットに電源供給がなされかつ前記アンテナユニットと前記受信機本体との間に前記ケーブルが接続されている際に、前記アンテナユニットから前記ケーブルを介して所定電流が流れることにより、前記バイポーラトランジスタのベース−エミッタ間に飽和電圧以上の電圧を印加させて前記バイポーラトランジスタを動作させる抵抗と、を有する受信装置により達成される。
【０００６】
この態様の発明において、アンテナユニットの電源スイッチは、電源供給がなされかつケーブルを介して受信機本体が接続されている際にオンする。すなわち、電源供給がなされず或いはケーブルを介した受信機本体の接続がなされていないときはオンしない。このため、アンテナユニットの電源スイッチがオンになれば、アンテナユニットからケーブルを介した受信機本体への受信信号の供給を確実かつ適切に行うことが可能である。従って、本発明の受信装置によれば、アンテナユニット側に電源供給がなされかつアンテナユニットと受信機本体との間にケーブルが接続されることで作動可能となる。
【０００９】
尚、例えば、アンテナユニット側に電源供給がなされているか否かの判定（電源供給判定）をアンテナユニットと電源との間の電源ラインにおける電位に基づいて行い、また、アンテナユニットと受信機本体との間にケーブルが接続されているか否かの判定（ケーブル接続判定）を受信機本体側でのケーブルの接続によるスイッチ動作に基づいて行うことで、電源供給判定とケーブル接続判定とをそれぞれ別個独立して行うものとすると、判定装置全体が過大になると共に、すべての判定を行うのに手間がかかり、また、ケーブルと受信機本体側との接続によるスイッチの長時間使用に対して信頼性が保たれなくなるおそれがある。
【００１０】
そこで、上記した受信装置において、前記受信機本体側に設けられ、前記アンテナユニット側から前記ケーブルを介してバイアス電圧が印加されるか否かに基づいて、前記アンテナユニットに電源供給がなされかつ前記アンテナユニットと前記受信機本体との間に前記ケーブルが接続されているか否かを判定する判定手段を備えることとすれば、アンテナユニットに電源供給がなされかつアンテナユニットと受信機本体との間にケーブルが接続されているか否かの判定を簡易な構成でかつ精度よく行うことができる。
【００１１】
この場合、前記判定手段は、前記バイアス電圧発生手段によるバイアス電圧が現れる端子の電圧値に基づいて、前記アンテナユニットに電源供給がなされかつ前記アンテナユニットと前記受信機本体との間に前記ケーブルが接続されているか否かを判定することとすればよい。
【発明の効果】
【００１２】
本発明によれば、受信装置自体を、アンテナユニット側に電源供給がなされかつアンテナユニットと受信機本体との間にケーブルが接続されることで作動可能とすることができる。
【発明を実施するための最良の形態】
【００１３】
以下、図面を用いて、本発明の具体的な実施の形態について説明する。
【実施例１】
【００１４】
図１は、本発明の第１実施例である受信装置１０の構成図を示す。本実施例の受信装置１０は、受信アンテナ側と受信機本体側との距離が比較的長くなる、例えば車両に搭載される。
【００１５】
図１に示す如く、受信装置１０は、所望の電波を受信する受信アンテナ１２に接続するアンテナアンプユニット１４と、受信アンテナ１２に受信された受信信号を復調する受信機本体１６と、アンテナアンプユニット１４と受信機本体１６とを接続するケーブル１８と、を備えている。
【００１６】
受信アンテナ１２は、リアガラスやクォータガラスなどの車両ガラスに設置されるガラスアンテナ等である。アンテナアンプユニット１４は受信アンテナ１２の近傍に配置されており、受信機本体１６は例えば車体中央近傍に配置されている。そして、アンテナアンプユニット１４と受信機本体１６とは、ケーブル１８を介して互いに接続される。ケーブル１８は、芯線が金属線で形成された同軸ケーブルであり、アンテナアンプユニット１４及び受信機本体１６とそれぞれコネクタ２０，２２を通じて接続される。ケーブル１８は、受信アンテナ１２に受信された受信信号をアンテナアンプユニット１４側から受信機本体１６側へ伝送する役割を有している。
【００１７】
アンテナアンプユニット１４は、受信アンテナ１２の直下でその受信アンテナ１２に接続するマッチング回路２４を有している。マッチング回路２４は、受信アンテナ１２の出力と受信機本体１６の入力とのインピーダンスマッチングをとる回路である。マッチング回路２４には、アンプ２６の入力が接続されている。アンプ２６は、受信アンテナ１２に受信された受信信号を所定の増幅率で増幅する回路である。
【００１８】
アンプ２６の出力には、結合コンデンサ２８を介してコネクタ２０の信号端子が接続されている。結合コンデンサ２８は、直流成分をカットするコンデンサである。コネクタ２０の信号端子は、ケーブル１８の内部導体に接続し得る端子である。ケーブル１８の外部導体は、車体に接続されており、コネクタ２０の接地端子に接続され得る。アンテナアンプユニット１４は、コネクタ２０の接地端子がケーブル１８の外部導体と接続された際にその接地端子の電位を基準電位として作動する。また、アンテナアンプユニット１４は、車両に搭載されるバッテリや発電機などから電源（例えば１２ボルトの電源電圧）が供給されることにより作動する。
【００１９】
ケーブル１８の外部導体は、また、コネクタ２２の接地端子に接続され得る。また、コネクタ２２の信号端子は、ケーブル１８の内部導体に接続し得る端子であり、結合コンデンサ３０を介して受信機本体１６の有するチューナ回路３２に接続されている。結合コンデンサ３０は、直流成分をカットするコンデンサである。チューナ回路３２は、受信アンテナ１２に受信されてケーブル１８を介して受信機本体１６に供給される受信信号を復調する回路である。受信機本体１６は、コネクタ２２の接地端子がケーブル１８の外部導体と接続された際にその接地端子の電位を基準電位として作動する。また、受信機本体１６は、車両に搭載されるバッテリや発電機などから電源（例えば１２ボルトの電源電圧）が供給されることにより作動する。
【００２０】
上記した構成において、アンテナアンプユニット１４は、バッテリ等から電源供給されないときは作動しない一方、電源供給されるときは作動可能となり、受信アンテナ１２に受信された受信信号をマッチング回路２４でインピーダンスマッチングしアンプ２６で増幅してケーブル１８を介して受信機本体１６へ向けて供給することが可能である。また、受信機本体１６は、バッテリ等から電源供給されないときは作動しない一方、電源供給されるときは作動可能となり、アンテナアンプユニット１４からケーブル１８を介して供給される受信信号をチューナ回路３２で復調することが可能である。
【００２１】
ところで、受信アンテナ１２に受信された受信信号をアンテナアンプユニット１４から受信機本体１６へ確実に伝送しその受信機本体１６で適切に復調するためには、アンテナアンプユニット１４側に適切に電源供給がなされ、かつ、アンテナアンプユニット１４と受信機本体１６との間にケーブル１８が確実に接続されていることが必要である。
【００２２】
本実施例において、アンテナアンプユニット１４は、また、ｐｎｐ型のバイポーラトランジスタ（以下、第１トランジスタと称す）４０と、ｎｐｎ型のバイポーラトランジスタ（以下、第２トランジスタと称す）４２と、ｐｎｐ型のバイポーラトランジスタ（以下、第３トランジスタ４４と、を有している。
【００２３】
第１トランジスタ４０のエミッタは、アンテナアンプユニット１４に電源が供給された際に電源電圧が現れる電源端子４６に接続されていると共に、コネクタ２０の接地端子に接続された端子（接地端子）に一端が接続されたコンデンサ４８の他端に接続されている。第１トランジスタ４０のエミッタとベースとの間には、抵抗５０が介在されている。第１トランジスタ４０のベースは、コネクタ２０の接地端子に接続された端子（接地端子）に一端が接続されたコンデンサ５２の他端に接続されていると共に、結合コンデンサ２８のコネクタ２０側端子に一端が接続された抵抗５４の他端に接続されている。
【００２４】
第１トランジスタ４０のコレクタは、抵抗５６を介して第２トランジスタ４２のベースに接続されている。第２トランジスタ４２のベースは抵抗５８を介して、また、第２トランジスタ４２のエミッタは直接に、コネクタ２０の接地端子に接続された端子（接地端子）に接続されている。第２トランジスタ４２のコレクタは、抵抗６０を介して第３トランジスタ４４のベースに接続されている。
【００２５】
第３トランジスタ４４のベースとエミッタとの間には、抵抗６２が介在されている。第３トランジスタ４４のエミッタは、アンテナアンプユニット１４に電源が供給された際に電源電圧が現れる電源端子６４に接続されている。第３トランジスタ４４のコレクタは、アンプ２６の電源端子に接続されている。
【００２６】
上記したアンテナアンプユニット１４の回路構成において、電源端子４６，６４に電源電圧が印加されている状況で、第１トランジスタ４０のベース−エミッタ間に電圧が印加されて第１トランジスタ４０にベース電流が流れると、第１トランジスタ４０が動作してそのエミッタからコレクタへ電流が流れることで、第２トランジスタ４２のベースに電流が供給されることとなる。この際には、第２トランジスタのベース−エミッタ間に電圧が印加されて第２トランジスタ４２にベース電流が流れるので、第２トランジスタ４２が動作してそのコレクタからエミッタへ電流が流れることとなる。
【００２７】
第２トランジスタ４２が動作すると、第３トランジスタ４４のベース−エミッタ間に電圧が印加されてその第３トランジスタ４４にベース電流が流れる。この場合には、第３トランジスタ４４が動作してそのエミッタからコレクタへ電流が流れるので、アンプ２６に電源電圧が印加されることとなる。アンプ２６に電源電圧が印加されると、そのアンプ２６は受信アンテナ１２に受信された受信信号を所定の増幅率で増幅することが可能となるので、アンテナアンプユニット１４が受信信号をケーブル１８を介して受信機本体１６へ供給することが可能となる。
【００２８】
一方、電源端子４６，６４に電源電圧が印加されないときは、何れのトランジスタ４０〜４４も動作することはなく、アンプ２６が作動することもない。
【００２９】
従って、本実施例のアンテナアンプユニット１４においては、電源供給がなされて電源端子４６，６４に電源電圧が印加されて、第１トランジスタ４０にベース電流が流れる回路が形成されれば、アンプ２６に電源電圧が印加されてアンテナアンプユニット１４としての作動・機能が果たされることとなる。すなわち、アンテナアンプユニット１４の作動・機能を果たすためには、電源供給が適切になされること、及び、第１トランジスタ４０にベース電流を流す回路が形成されことが必要である。
【００３０】
本実施例においては、アンテナアンプユニット１４と受信機本体１６との間にケーブル１８が接続されている際に、アンテナアンプユニット１４のアンプ２６から出力されチューナ回路３２に入力されるＡＣ的な受信信号とは別に、結合コンデンサ２８，３０の間にＤＣ的なバイアス電圧が現れるものとする。尚、このバイアス電圧を発生させる回路は、ケーブル１８に接続されている抵抗の抵抗値をそのケーブル１８の特性インピーダンス（例えば７５Ω）よりも１０００倍以上大きなインピーダンス（例えば数十ｋΩ）とすることが可能であり、そのバイアス電圧を高周波の受信信号から３０ｄＢ以上分離させて出力させることが可能である。
【００３１】
具体的には、受信機本体１６は、結合コンデンサ３０のコネクタ２２側端子とコネクタ２２の接地端子に接続された端子（接地端子）との間に介在される抵抗７０を有している。抵抗７０は、一端が接地される一方、アンテナアンプユニット１４と受信機本体１６との間にケーブル１８が接続された際に、他端がコネクタ２２の信号端子、ケーブル１８、及びコネクタ２０の信号端子を介してアンテナアンプユニット１４の有する抵抗５４に接続されることで、その抵抗５４と直列接続される。
【００３２】
抵抗７０の抵抗値は、その抵抗７０とアンテナアンプユニット１４の抵抗５４とが直列接続されることで、アンテナアンプユニット１４の電源端子４６から抵抗５０，５４を通りケーブル１８を介して受信機本体１６側に流れた電流がその抵抗７０を流れた際に、第１トランジスタ４０のベース−エミッタ間に飽和電圧（例えばシリコントランジスタのときは約０．７ボルト）以上の電圧が印加されてその第１トランジスタ４０にベース電流が流れるように設定されている。
【００３３】
かかる構成においては、アンテナアンプユニット１４に電源供給がなされる状況で、アンテナアンプユニット１４と受信機本体１６とがケーブル１８を介して接続されることで抵抗５４と抵抗７０とがケーブル１８を介して直列接続されていると、アンテナアンプユニット１４の電源端子４６からケーブル１８を介して受信機本体１６の抵抗７０へ電流が流れるので、第１トランジスタ４０のベース−エミッタ間に飽和電圧以上の電圧が印加されて第１トランジスタ４０にベース電流が流れ、その結果として、その第１トランジスタ４０が動作可能になる。
【００３４】
一方、アンテナアンプユニット１４に電源供給がなされていなければ、或いは、アンテナアンプユニット１４と受信機本体１６とのケーブル１８を介した接続がなされておらず、抵抗５４と抵抗７０とのケーブル１８を介した直列接続がなされていなければ、アンテナアンプユニット１４の電源端子４６からケーブル１８を介して受信機本体１６の抵抗７０へ電流が流れることはできないので、第１トランジスタ４０のベース−エミッタ間に飽和電圧以上の電圧が印加されることはなく、第１トランジスタ４０にベース電流が流れることはなく、その第１トランジスタ４０が不動作状態に維持される。
【００３５】
このように、本実施例の受信装置１０においては、アンテナアンプユニット１４に電源供給がなされかつアンテナアンプユニット１４と受信機本体１６とがケーブル１８を介して互いに接続されていれば、結合コンデンサ２８，３０の間に抵抗７０の抵抗値と流通電流とに応じたバイアス電位が現れることで、アンテナアンプユニット１４の第１トランジスタ４０にベース電流を流す回路が形成されることとなる。
【００３６】
アンテナアンプユニット１４に電源供給がなされかつ第１トランジスタ４０にベース電流を流す回路が形成されると、そのアンテナアンプユニット１４の電源スイッチ（第１〜第３トランジスタ４０〜４４）がオンされることで、アンプ２６に電源電圧が印加されてそのアンテナユニット１４の作動・機能が果たされる。従って、本実施例によれば、アンテナアンプユニット１４に電源供給がなされかつアンテナアンプユニット１４と受信機本体１６との間にケーブル１８が接続されていることで、受信装置１０を作動可能とすることが可能となっており、このため、受信アンテナ１２に受信された受信信号をアンテナアンプユニット１４から受信機本体１６へ確実に伝送しその受信機本体１６で適切に復調することが可能となっている。
【００３７】
また逆に、本実施例によれば、電源ラインの断線や短絡などに起因してアンテナアンプユニット１４に電源供給がなされないとき、或いは、アンテナアンプユニット１４と受信機本体１６との間にケーブル１８が接続されていないときは、アンテナアンプユニット１４の電源スイッチをオフして受信装置１０の作動を禁止することが可能となっており、このため、アンテナアンプユニット１４から受信機本体１６への受信信号の伝送や受信機本体１６の復調処理が行われるのを回避することが可能となっている。
【００３８】
尚、上記の第１実施例においては、アンテナアンプユニット１４が特許請求の範囲に記載した「アンテナユニット」に、第１トランジスタ４０と電源端子４６と抵抗５０，５４，７０とからなる回路が特許請求の範囲に記載した「バイアス電圧発生手段」に、第１トランジスタ４０が特許請求の範囲に記載した「バイポーラトランジスタ」に、抵抗７０が特許請求の範囲に記載した「抵抗」に、それぞれ相当している。
【実施例２】
【００３９】
上記した第１実施例では、アンテナアンプユニット１４に電源供給がなされかつアンテナアンプユニット１４と受信機本体１６との間にケーブル１８が接続されているときに、アンテナアンプユニット１４の電源スイッチがオンされる一方、アンテナアンプユニット１４に電源供給がなされず、或いは、アンテナアンプユニット１４と受信機本体１６との間にケーブル１８が接続されていないときに、アンテナアンプユニット１４の電源スイッチがオフされることとなっている。
【００４０】
これに対して、本発明の第２実施例においては、その第１実施例の構成に加えて、アンテナアンプユニット１４に電源供給がなされかつアンテナアンプユニット１４と受信機本体１６との間にケーブル１８が接続されているか否かの判定を行う判定回路を設けることとしている。
【００４１】
図２は、本発明の第２実施例である受信装置１００の構成図を示す。尚、図２において、上記図１に示す構成と同一の部分については、同一の符号を付してその説明を省略又は簡略する。
【００４２】
図２に示す如く、受信装置１００は、アンテナアンプユニット１４と、受信アンテナ１２に受信された受信信号を復調する受信機本体１０２と、アンテナアンプユニット１４と受信機本体１０２とを接続するケーブル１８と、を備えている。ケーブル１８は、アンテナアンプユニット１４及び受信機本体１０２とそれぞれコネクタ２０，２２を通じて接続される。
【００４３】
受信機本体１０２は、コネクタ２２の信号端子とコンデンサ３０を介して接続されたチューナ回路３２を有している。受信機本体１０２は、バッテリ等から電源供給されないときは作動しない一方、電源供給されるときは作動可能となり、アンテナアンプユニット１４からケーブル１８を介して供給される受信信号をチューナ回路３２で復調することが可能である。
【００４４】
受信機本体１０２は、抵抗１０４，１０６と、コンデンサ１０８と、ｎチャネル型のＭＯＳＦＥＴ１１０を有している。抵抗１０４は、一端が結合コンデンサ３０のコネクタ２２側端子に接続されており、他端が抵抗１０６の一端及びコンデンサ１０８の一端に接続されている。抵抗１０６の他端及びコンデンサ１０８の他端は、コネクタ２２の接地端子に接続された端子（接地端子）に接続されている。
【００４５】
抵抗１０４は、アンテナアンプユニット１４と受信機本体１０２との間にケーブル１８が接続された際に、コネクタ２２の信号端子、ケーブル１８、及びコネクタ２０の信号端子を介してアンテナアンプユニット１４の抵抗５４に接続される。この際、抵抗５４，１０４，１０６は、直列接続される。抵抗１０４と１０６との合成抵抗値は、抵抗５４，１０４，１０６が直列接続されることで、アンテナアンプユニット１４の電源端子４６から抵抗５０，５４を通りケーブル１８を介して受信機本体１０２側に流れた電流がその抵抗１０４，１０６を流れた際に、第１トランジスタ４０のベース−エミッタ間に飽和電圧（例えばシリコントランジスタのときは約０．７ボルト）以上の電圧が印加されてその第１トランジスタ４０にベース電流が流れるように設定されている。
【００４６】
抵抗１０４の他端及び抵抗１０６の一端は、また、ＭＯＳＦＥＴ１１０のゲートに接続されている。ＭＯＳＦＥＴ１１０は、ソースがコネクタ２２の接地端子に接続された端子（接地端子）に接続されており、ドレインが抵抗１１２を介して、電源電圧が供給される電源端子１１４に接続されている。
【００４７】
ＭＯＳＦＥＴ１１０のドレインには、判定回路１１６が接続されている。判定回路１１６は、ＭＯＳＦＥＴ１１０のドレインに現れる電圧値に基づいて、アンテナアンプユニット１４に電源供給がなされかつアンテナアンプユニット１４と受信機本体１６との間にケーブル１８が接続されているか否かを判定する。
【００４８】
上記した構成においては、アンテナアンプユニット１４に電源供給がなされる状況で、アンテナアンプユニット１４と受信機本体１０２とがケーブル１８を介して接続されることで抵抗５４と抵抗１０４，１０６とがケーブル１８を介して直列接続されていれば、アンテナアンプユニット１４の電源端子４６からケーブル１８を介して受信機本体１０２の抵抗１０４，１０６へ電流が流れるので、第１トランジスタ４０のベース−エミッタ間に飽和電圧以上の電圧が印加されて第１トランジスタ４０にベース電流が流れ、その結果として、その第１トランジスタ４０が動作可能になる。
【００４９】
一方、アンテナアンプユニット１４に電源供給がなされていなければ、或いは、アンテナアンプユニット１４と受信機本体１０２とのケーブル１８を介した接続がなされておらず、抵抗５４と抵抗１０４，１０６とのケーブル１８を介した直列接続がなされていなければ、アンテナアンプユニット１４の電源端子４６からケーブル１８を介して受信機本体１０２の抵抗１０４，１０６へ電流が流れることはできないので、第１トランジスタ４０のベース−エミッタ間に飽和電圧以上の電圧が印加されることはなく、第１トランジスタ４０にベース電流が流れることはなく、その第１トランジスタ４０が不動作状態に維持される。
【００５０】
このように、本実施例の受信装置１００においては、アンテナアンプユニット１４に電源供給がなされかつアンテナアンプユニット１４と受信機本体１０２とがケーブル１８を介して互いに接続されていれば、結合コンデンサ２８，３０の間に抵抗１０４，１０６の抵抗値と流通電流とに応じたバイアス電位が現れることで、アンテナアンプユニット１４の第１トランジスタ４０にベース電流を流す回路が形成されることとなる。従って、本実施例においても、上記した第１実施例と同様の効果を得ることが可能となる。
【００５１】
また、本実施例の受信装置１００においては、アンテナアンプユニット１４からケーブル１８を介して抵抗１０４，１０６に電流が流れて結合コンデンサ２８，３０の間にバイアス電圧が現れると、ＭＯＳＦＥＴ１１０のゲート−ソース間に電圧が印加されることで、電源端子１１４から抵抗１１２を介して接地端子へ電流が流れる。この場合には、ＭＯＳＦＥＴ１１０のドレインにコネクタ２２の接地端子の電位（基準電位）が現れて、そのドレイン電位がローとなる。一方、結合コンデンサ２８，３０の間にバイアス電圧が現れないと、ＭＯＳＦＥＴ１１０のゲート−ソース間に電圧が印加されることはなく、電源端子１１４から抵抗１１２を介した接地端子への電流が流通することはない。この場合には、ＭＯＳＦＥＴ１１０のドレインにコネクタ２２の接地端子の電位（基準電位）が現れることはなく、そのドレイン電位がハイとなる。
【００５２】
判定回路１１６は、ＭＯＳＦＥＴ１１０のドレインに現れる電位が基準電位であるか否か（具体的には、基準電位よりも僅かに大きいしきい値電位以下であるか否か）に基づいて、アンテナアンプユニット１４に電源供給がなされかつアンテナアンプユニット１４と受信機本体１６との間にケーブル１８が接続されているか否かを判定する。具体的には、そのドレイン電位がしきい値電位以下であって基準電位近傍であると判断されるときは、アンテナアンプユニット１４に電源供給がなされかつアンテナアンプユニット１４と受信機本体１６との間にケーブル１８が接続されていると判定する。一方、そのドレイン電位がしきい値電位を超えて基準電位近傍でないと判断されるときは、アンテナアンプユニット１４に電源供給がなされておらず、或いは、アンテナアンプユニット１４と受信機本体１６との間にケーブル１８が接続されていないと判定する。
【００５３】
かかる構成においては、アンテナアンプユニット１４に電源供給がなされているか否かの判定と、アンテナアンプユニット１４と受信機本体１６との間にケーブル１８が接続されているか否かの判定とをそれぞれ別個独立して行う必要はなく、結合コンデンサ２８，３０の間に現れるバイアス電圧具体的にはＭＯＳＦＥＴ１１０のドレインに現れる電圧を検知することで上記した両判定を同時に行うことが可能である。
【００５４】
従って、本実施例によれば、アンテナユニット１４に電源供給がなされかつアンテナユニット１４と受信機本体１０２との間にケーブル１８が接続されているか否かの判定を判定回路１１６で行うことで、その判定を簡易な構成でかつ精度よく行うことが可能となっている。
【００５５】
尚、上記の第２実施例においては、第１トランジスタ４０と電源端子４６と抵抗５０，５４，１０４，１０６とからなる回路が特許請求の範囲に記載した「バイアス電圧発生手段」に、抵抗１０４，１０６が特許請求の範囲に記載した「抵抗」に、判定回路１１６が特許請求の範囲に記載した「判定手段」に、ＭＯＳＦＥＴ１１０のドレイン端子が特許請求の範囲に記載した「端子」に、それぞれ相当している。
【００５６】
ところで、上記の第２実施例においては、抵抗１０４の他端及び抵抗１０６の一端にゲートが接続されるＭＯＳＦＥＴ１１０と、そのＭＯＳＦＥＴ１１０のドレインに現れる電圧値に基づいて、アンテナアンプユニット１４に電源供給がなされかつアンテナアンプユニット１４と受信機本体１６との間にケーブル１８が接続されているか否かを判定する判定回路１１６と、を設けることとしている。しかし、本発明はこれに限定されるものではなく、ＭＯＳＦＥＴ１１０に代えて、ベースが抵抗１０４の他端及び抵抗１０６の一端に接続され、エミッタがコネクタ２２の接地端子に接続された端子（接地端子）に接続され、コレクタが抵抗１１２を介して電源端子１１４に接続されたｎｐｎ型のバイポーラトランジスタを設けることとしてもよい。かかる変形例においても、上記した第２実施例と同様の効果を得ることが可能になる。
【００５７】
また、本発明はこれに限定されるものではなく、図３に示す如く、抵抗１０４の他端及び抵抗１０６の一端に抵抗２０４を介してＣＰＵ（中央演算処理装置）２０６を接続させたうえで、そのＣＰＵ２０６に、その接続端子に現れる電圧値に基づいて、アンテナアンプユニット１４に電源供給がなされかつアンテナアンプユニット１４と受信機本体１６との間にケーブル１８が接続されているか否かを判定させることとしてもよい。かかる変形例においては、上記した第２実施例と同様の効果を得ることが可能になると共に、アンテナアンプユニット１４に電源供給がなされかつアンテナアンプユニット１４と受信機本体１６との間にケーブル１８が接続されているか否かの判定をＣＰＵ２０６への入力電圧に基づいてソフト的に実現することが可能となる。
【００５８】
また、上記の第１及び第２実施例においては、アンテナアンプユニット１４の電源スイッチをオンする回路構成を図１や図２に示すものとしたが、他のものとしてもよい。また、アンテナアンプユニット１４のアンプ２６に電源電圧を印加する構成を図１に示す如くいわゆる３段構成にしたが、他のものとしてもよい。
【図面の簡単な説明】
【００５９】
【図１】本発明の第１実施例である受信装置の構成図である。
【図２】本発明の第２実施例である受信装置の構成図である。
【図３】本発明の変形例である受信装置の構成図である。
【符号の説明】
【００６０】
１０，１００，２００  受信装置
１２  受信アンテナ
１４  アンテナアンプユニット
１６，１０２，２０２  受信機本体
１８  ケーブル
４０  第１トランジスタ
４６  電源端子
５０，５４，７０，１０４，１０６  抵抗
１１０  ＭＯＳＦＥＴ
１１６  判定回路
２０６  ＣＰＵ
【図１】
0004893560.tif 000002
【図２】
0004893560.tif 000003
【図３】
0004893560.tif 000004